(57)【要約】【課題】画像形成装置に異常高温が発生した場合の二次災害を、比較的簡易な構成で、適切に防止可能にする。【解決手段】制御システム１は、画像形成装置６と、管理装置２と、報知機Ａとを備える。管理装置２は、複数のエリアＥ１乃至Ｅ５を有する建物１１のセキュリティーを管理し、画像形成装置６が異常高温を検出すると、異常高温を検出した画像形成装置６が設置されているエリアを特定することによって異常高温の発生エリアを検出し、異常高温の発生エリアに設けられた報知機Ａへ、当該報知機Ａが設けられているエリアに異常高温が発生していることを報知させる報知指令通知を送信する。【選択図】図２
2020119256.tif 000002
【特許請求の範囲】
【請求項１】
建物内の複数のエリアにそれぞれ設置される画像形成装置と、当該建物のセキュリティーを管理する管理装置と、エリア毎に設けられた報知機と、を含んで構成される制御システムであって、
前記各画像形成装置は、
温度センサーと、
外部機器との間で通信を行う第１通信部と、
前記温度センサーにより検出された温度が、異常高温として予め定められた閾値以上であるか否かを検出する異常高温検出部と、
前記異常高温検出部によって前記温度が前記閾値以上であると検出された場合に、当該画像形成装置に異常高温が発生していることを示す異常高温情報を、前記第１通信部から前記管理装置へ送信させる第１制御部と、を備え、
前記管理装置は、
前記各画像形成装置が設置されているエリアを示す設置エリア情報を記憶する設置エリア情報記憶部と、
外部機器との間で通信を行う第２通信部と、
前記第２通信部が前記異常高温情報を受信すると、前記設置エリア情報に基づいて、前記異常高温情報を送信してきた前記画像形成装置が設置されているエリアを異常高温の発生エリアとして検出するエリア検出部と、
前記エリア検出部が検出した異常高温の発生エリアに設けられた前記報知機に向けて、当該報知機が設けられているエリアに異常高温が発生していることを報知させる報知指令通知を前記第２通信部から送信する第２制御部と、を備える制御システム。
【請求項２】
前記画像形成装置の前記第１制御部は、前記異常高温検出部によって前記温度が前記閾値以上であると検出された場合に、当該画像形成装置の電源をオフにする制御を更に行う請求項１に記載の制御システム。
【請求項３】
前記画像形成装置は、前記温度センサーを複数備え、
前記温度センサーのいずれか１つは当該画像形成装置の機外温度を検出し、
前記第１制御部は、前記異常高温検出部によって前記温度が前記閾値以上であると検出された場合に、機外に異常温度が発生していることを示す機外温異常情報を前記第１通信部から前記管理装置へ送信させ、
前記管理装置の前記第２制御部は、前記第２通信部が前記機外温異常情報を受信すると、前記エリア検出部が検出した異常高温の発生エリアに設置されている前記画像形成装置へ、当該画像形成装置の電源をオフさせる電源オフ指令通知を前記第２通信部から送信させる請求項１又は請求項２に記載の制御システム。
【請求項４】
建物内の複数のエリアにそれぞれ設置された画像形成装置と、エリア毎に設けられた報知機と、に接続される、当該建物のセキュリティーを管理する管理装置であって、
前記各画像形成装置が設置されているエリアを示す設置エリア情報を記憶する設置エリア情報記憶部と、
外部機器との間で通信を行う第２通信部と、
前記画像形成装置から送信されてくる、前記画像形成装置に異常高温が発生していることを示す異常高温情報と、前記画像形成装置の設置エリアを示す設置エリア情報に基づいて、異常高温を検出した前記画像形成装置が設置されているエリアを異常高温の発生エリアとして検出するエリア検出部と、
前記エリア検出部が検出した異常高温の発生エリアに設けられた前記報知機に向けて、当該報知機が設けられているエリアに異常高温が発生していることを報知させる第１報知指令通知を前記第２通信部から送信させる第２制御部と、を備える管理装置。
【請求項５】
前記報知機が設置されているエリアを示す報知機設置エリア情報を記憶する報知機設置エリア情報記憶部を更に備え、
前記第２制御部は、
各エリアの入退室を検出する入退室検出装置から取得する検出情報に基づいて、前記エリア検出部が検出した異常高温の発生エリアに在室者が存在するか否かを判断し、
前記異常高温の発生エリアに在室者が存在しないと判断した場合に、当該異常高温の発生エリアの最寄りのエリアに設けられた前記報知機へ、当該報知機が設けられているエリアの最寄りのエリアに異常高温が発生していることを報知させる第２報知指令通知を前記第２通信部から送信させる請求項４に記載の管理装置。
【請求項６】
前記第２制御部は、前記異常高温の発生エリアに在室者が存在しないと判断した場合、前記各エリアの入退室を検出する入退室検出装置から取得する検出情報に基づいて、当該異常高温の発生エリアの最寄りのエリアに在室者が存在するか否かを更に判断し、当該在室者が存在すると判断した最寄りのエリアに設けられた前記報知機に対してのみ、当該報知機が設けられているエリアの最寄りのエリアに異常高温が発生していることを報知させる第２報知指令通知を前記第２通信部から送信させる請求項５に記載の管理装置。
【請求項７】
表示部を更に備え、
前記第２制御部は、前記異常高温の発生情報を前記表示部に表示させる請求項４乃至請求項６のいずれかに記載の管理装置。
【請求項８】
建物のセキュリティーを管理する管理装置と接続されると共に、当該建物内に設置される画像形成装置であって、
温度センサーと、
外部機器との間で通信を行う第１通信部と、
前記温度センサーにより検出された温度が、異常高温として予め定められた閾値以上であるか否かを検出する異常高温検出部と、
前記異常高温検出部によって前記温度が前記閾値以上であると検出された場合に、当該画像形成装置に異常高温が発生していることを示す異常高温情報を、前記第１通信部から前記管理装置へ送信させる第１制御部と、を備える画像形成装置。
【請求項９】
前記第１制御部は、前記異常高温検出部によって前記温度が前記閾値以上であると検出された場合に、当該画像形成装置の電源をオフにする制御を更に行う請求項８に記載の画像形成装置。
【発明の詳細な説明】
【技術分野】
【０００１】
本発明は、制御システム、管理装置、及び画像形成装置に関し、特に、画像形成装置に異常が発生した場合の制御に関する。
【背景技術】
【０００２】
画像形成装置の周囲で発生した異常を検出し、二次災害を防止するような技術が提案されている。例えば、下記特許文献１に、異常検知機能を備え、異常時には異常情報を外部へ送信すると共に、装置の電源を二次電池に切り替えたり、オフしたりする画像形成装置について記載されている。
【先行技術文献】
【特許文献】
【０００３】
【特許文献１】特開２０１０−０６２９９０号公報
【発明の概要】
【発明が解決しようとする課題】
【０００４】
上記特許文献１では、地震、火災、ガス漏れ、不審者の侵入が異常として想定されているが、これらすべての事態に対応しようとした場合、画像形成装置には複数種のセンサーを搭載する必要があり、装置のコストがアップする。
【０００５】
また、上記特許文献１の技術では、異常が発生すると、異常の種類によらず、同じような動作が行われるが、異常の種類によって、画像形成装置の動作を変更した方が、二次災害の発生をより効果的に防止することが可能であると考えられる。
【０００６】
本発明は、上記の事情に鑑みなされたものであり、画像形成装置に異常高温が発生した場合の二次災害を、比較的簡易な構成で、適切に防止可能にすることを目的とする。
【課題を解決するための手段】
【０００７】
画像形成装置には、定着部の温度を検出する定着温度センサーが装備されている。また、画像形成装置には、機内の温度を検出する機内温度センサーや機外の温度を検出する機外温度センサーが装備されているものもある。
【０００８】
本発明者は、画像形成装置に装備されているこれら温度センサーを利用すれば、画像形成装置に新たな温度センサーを搭載しなくても、画像形成装置に発生した異常高温を検出できることに気づき、本発明を完成するに到った。
【０００９】
本発明の一局面に係る制御システムは、建物内の複数のエリアにそれぞれ設置される画像形成装置と、当該建物のセキュリティーを管理する管理装置と、エリア毎に設けられた報知機と、を含んで構成される制御システムであって、前記各画像形成装置は、温度センサーと、外部機器との間で通信を行う第１通信部と、前記温度センサーにより検出された温度が、異常高温として予め定められた閾値以上であるか否かを検出する異常高温検出部と、前記異常高温検出部によって前記温度が前記閾値以上であると検出された場合に、当該画像形成装置に異常高温が発生していることを示す異常高温情報を、前記第１通信部から前記管理装置へ送信させる第１制御部と、を備え、前記管理装置は、前記各画像形成装置が設置されているエリアを示す設置エリア情報を記憶する設置エリア情報記憶部と、外部機器との間で通信を行う第２通信部と、前記第２通信部が前記異常高温情報を受信すると、前記設置エリア情報に基づいて、前記異常高温情報を送信してきた前記画像形成装置が設置されているエリアを異常高温の発生エリアとして検出するエリア検出部と、前記エリア検出部が検出した異常高温の発生エリアに設けられた前記報知機に向けて、当該報知機が設けられているエリアに異常高温が発生していることを報知させる報知指令通知を前記第２通信部から送信する第２制御部と、を備える。
【００１０】
また、本発明の一局面に係る管理装置は、建物内の複数のエリアにそれぞれ設置された画像形成装置と、エリア毎に設けられた報知機と、に接続される、当該建物のセキュリティーを管理する管理装置であって、前記各画像形成装置が設置されているエリアを示す設置エリア情報を記憶する設置エリア情報記憶部と、外部機器との間で通信を行う第２通信部と、前記画像形成装置から送信されてくる、前記画像形成装置に異常高温が発生していることを示す異常高温情報と、前記画像形成装置の設置エリアを示す設置エリア情報に基づいて、異常高温を検出した前記画像形成装置が設置されているエリアを異常高温の発生エリアとして検出するエリア検出部と、前記エリア検出部が検出した異常高温の発生エリアに設けられた前記報知機に向けて、当該報知機が設けられているエリアに異常高温が発生していることを報知させる第１報知指令通知を前記第２通信部から送信させる第２制御部と、を備える。
【００１１】
また、本発明の一局面に係る画像形成装置は、建物のセキュリティーを管理する管理装置と接続されると共に、当該建物内に設置される画像形成装置であって、温度センサーと、外部機器との間で通信を行う第１通信部と、前記温度センサーにより検出された温度が、異常高温として予め定められた閾値以上であるか否かを検出する異常高温検出部と、前記異常高温検出部によって前記温度が前記閾値以上であると検出された場合に、当該画像形成装置に異常高温が発生していることを示す異常高温情報を、前記第１通信部から前記管理装置へ送信させる第１制御部と、を備える。
【発明の効果】
【００１２】
本発明によれば、画像形成装置の異常高温が検出されると、異常高温情報が管理装置へ送信されるので、異常高温の発生を建物の管理者（例えば、守衛等）がいち早く知ることが可能となる。
【００１３】
また、異常高温を検出した画像形成装置が設置されているエリア（すなわち、異常高温の発生エリア）の在室者に異常高温の発生を報知機から伝えることが可能になるので、異常状態の迅速な確認作業が可能となる。また、異常高温に対する対処を早めることが可能となる。もし仮に、異常高温の発生エリアに在室者がいなかったとしても、建物の管理者にも異常高温の発生が伝えられるので、異常状態に対する迅速な対応が可能となる。
【００１４】
また、異常高温の検出に、異常高温の検出とは異なる目的のために設置されている温度センサー（例えば、定着温度センサーや機外温度センサー、機内温度センサー）を利用することができるので、複雑な機構を新たに採用する必要がない。従って、画像形成装置に異常高温が発生したことを、比較的簡易な構成で報知することが可能となる。
【図面の簡単な説明】
【００１５】
【図１】本発明の一実施形態に係る制御システムの全体構成を示した図である。
【図２】制御システムを構成する各機器の配置を概略的に示した建物の側面図である。
【図３】制御システムを構成する画像形成装置の主要内部構成を概略的に示した機能ブロック図である。
【図４】制御システムを構成する管理装置の主要内部構成を概略的に示した機能ブロック図である。
【図５】認証データ記憶部に記憶されるデータ構成の一例を示した図である。
【図６】滞在場所情報記憶部に記憶されるデータ構成の一例を示した図である。
【図７Ａ】設置エリア情報記憶部に記憶されるデータ構成の一例を示した図である。
【図７Ｂ】報知機設置エリア情報記憶部に記憶されるデータ構成の一例を示した図である。
【図８】エリア関係性情報の一例を示した図である。
【図９】画像形成装置の制御ユニットで行われる処理の一例を示したフローチャートである。
【図１０】管理装置の制御ユニットで行われる処理の一例を示したフローチャートである。
【発明を実施するための形態】
【００１６】
以下、本発明の一実施形態に係る制御システム、管理装置及び画像形成装置について図面を参照して説明する。図１は、一実施形態に係る制御システムの全体構成を示す図である。図２は、制御システムを構成する各機器の配置を概略的に示す建物の側面図である。
【００１７】
制御システム１は、管理装置２と、カードリーダー３Ａ乃至３Ｆ（以降、まとめて「カードリーダー３」とも称す）と、電気錠４Ａ乃至４Ｆ（以降、まとめて「電気錠４」とも称す）と、報知機Ａ１乃至Ａ５（以降、まとめて「報知機Ａ」とも称す）と、サーバー５と、画像形成装置６Ａ乃至６Ｅ（以降、まとめて「画像形成装置６」とも称す）と、端末装置７Ａ乃至７Ｊ（以降、まとめて「端末装置７」とも称す）と、を備える。
【００１８】
建物１１の１階のエリアＥ１には、画像形成装置６Ａ及び端末装置７Ａ，７Ｂが設置され、２階のエリアＥ２には、画像形成装置６Ｂ，６Ｃ及び端末装置７Ｃ，７Ｄが設置され、３階のエリアＥ３には、画像形成装置６Ｄ，６Ｅ及び端末装置７Ｅ乃至７Ｇが設置され、４階のエリアＥ４には、端末装置７Ｈ乃至７Ｊが設置されている。そして、管理室を示す１階のエリアＥ５には、管理装置２及びサーバー５が設置されている。
【００１９】
管理装置２と、カードリーダー３、電気錠４及び報知機Ａとは、ＬＡＮ（Local Area Network）などのネットワークを通じて接続され、管理装置２と、カードリーダー３と、電気錠４と、報知機Ａとで、セキュリティーシステム１Ａが構成されている。また、管理装置２としては、例えば、パーソナルコンピューター（パソコン）が挙げられる。
【００２０】
カードリーダー３Ａは、建物１１の出入口に設けられ、建物１１の入退館を検出する。カードリーダー３Ｂ乃至３Ｆはそれぞれ、建物１１内の各エリアＥ１乃至Ｅ５の対応する出入口に設けられ、各エリアＥ１乃至Ｅ５における人の入退室を検出する。電気錠４Ａは、建物１１の出入口ドアに設けられ、電気錠４Ｂ乃至４Ｆはそれぞれ、各エリアＥ１乃至Ｅ５の対応する出入口ドアに設けられている。
【００２１】
ユーザーは携帯する非接触型ＩＣカード（図示せず）を、カードリーダー３にかざすことで、電気錠４を解除する。例えば、ユーザーがカードリーダー３にＩＣカードをかざすと、カードリーダー３が当該ＩＣカードに書き込まれているユーザーＩＤ（例えば、社員番号）を読み取り、読み取ったユーザーＩＤを管理装置２へ送信する。なお、カードリーダー３は、エリアの入退室を検出するもので、特許請求の範囲における入退室検出装置の一例である。
【００２２】
管理装置２は、建物１１のセキュリティーを管理し、受信したユーザーＩＤに基づいて、認証処理を行い、建物１１への入館又は各エリアＥ１乃至Ｅ５への入室が許可されていると判断すると、対応する出入口ドアの電気錠４を解錠する。なお、これら処理については、後で詳しく説明する。
【００２３】
サーバー５と、画像形成装置６及び端末装置７とは、ＬＡＮなどのネットワークを通じて接続され、サーバー５と、画像形成装置６及び端末装置７との間で、情報のやり取りを行うことが可能である。サーバー５と、画像形成装置６と、端末装置７とで、画像形成連係システム１Ｂが構成されている。また、画像形成装置６としては、例えば、コピー機能、プリンター機能、スキャン機能、及びファクシミリ機能のような複数の機能を兼ね備えた複合機が挙げられ、端末装置７としては、例えば、パソコンが挙げられる。
【００２４】
また、サーバー５は、端末装置７から画像形成装置６への操作指示を中継する役割を果たすと共に、画像形成装置６から送信されてくる当該画像形成装置６の状態（例えば、電源状態や作業内容）を示す装置状態情報を受信し、画像形成装置６の状態を監視して管理する。
【００２５】
管理装置２は、サーバー５と接続され、サーバー５との間で情報のやり取りを行うことが可能で、サーバー５を介して、画像形成装置６との間で情報のやり取りを行う。例えば、管理装置２は、画像形成装置６から送信されてくる上記装置状態情報を受信し、サーバー５と同様に、画像形成装置６の状態を監視して管理する。また、管理装置２は、サーバー５を介して、画像形成装置６の電源をオフさせる電源オフ指令通知を当該画像形成装置６へ送信する。
【００２６】
画像形成装置６は、管理装置２からサーバー５を介して送信されてくる上記電源オフ指令通知を受信すると、受信した上記電源オフ指令通知に従って、当該画像形成装置６の電源をオフにする。
【００２７】
図３は、制御システム１を構成する画像形成装置６の主要内部構成を概略的に示した機能ブロック図である。画像形成装置６は、制御ユニット１０、原稿給送部１６、原稿読取部１５、画像形成部１２、定着部１３、給紙部１４、機内温度センサー３１、機外温度センサー３２、操作部４７、ネットワークインターフェイス部９１、及び電源部３３を備える。
【００２８】
画像形成装置１で原稿読取動作が行われる場合について説明する。原稿給送部１６により搬送されてきた原稿、又は図略のコンタクトガラスに載置されている原稿の画像を、原稿読取部１５が光学的に読み取り、そして画像データを生成する。原稿読取部１５により生成された画像データは、図略の画像メモリー等に保存される。
【００２９】
画像形成装置６で画像形成動作が行われる場合について説明する。原稿読取動作により生成された画像データや、ネットワーク接続された外部装置２０としてのコンピューター（例えば、サーバー５）から受信した画像データ等に基づいて、画像形成部１２が、給紙部１４から給紙される記録媒体としての記録紙にトナー像を形成する。給紙部１４は、給紙カセットを備える。
【００３０】
定着部１３は、画像形成部１２によりトナー像が形成された記録紙を加熱及び加圧して、トナー像を記録紙に定着させるものであり、定着処理が施された記録紙は図略の排出トレイに排出される。また、定着部１３は、定着温度センサー１３１を備える。定着温度センサー１３１は、定着部１３を構成する図略の加熱ローラーの表面温度を検出する。なお、定着温度センサー１３１は、特許請求の範囲における温度センサーの一例である。
【００３１】
機内温度センサー３１は、画像形成装置６の機内温度を検出し、機外温度センサー３２は、画像形成装置６の機外温度（本体周辺の温度）を検出する。機内温度や機外温度は、画像形成等における各種制御に用いられる。例えば、機内温度に応じて、目標定着温度が調整され、機外温度に応じて、画像形成部１２を構成する図略の感光体ドラムの目標表面電位が調整される。なお、機内温度センサー３１及び機外温度センサー３２は、特許請求の範囲における温度センサーの一例である。
【００３２】
操作部４７は、画像形成装置６の本体に設けられる操作ボタンを備える。操作部４７は、操作者による操作ボタンの操作に応じて、画像形成装置６が実行可能な各種動作及び処理について、画像形成動作実行指示等の指示を受け付ける。操作部４７は、制御部１０に当該受け付けた指示を出力する。操作部４７は、制御部１０に操作案内等を表示する表示部４７３を備えている。
【００３３】
表示部４７３は、ＬＣＤ等を備え、タッチパネル機能を有している。操作者が表示部４７３の画面に表示されるボタンに触れると、タッチパネル機能により、当該ボタン対応する指示が操作部４７に受け付けられる。
【００３４】
ネットワークインターフェイス部９１は、ローカルエリア内、又はインターネット上の端末装置７やサーバー５等の外部装置２０と種々のデータの送受信を行う通信インターフェイス機構である。なお、ネットワークインターフェイス部９１は、特許請求の範囲における第１通信部の一例である。
【００３５】
電源部３３は、画像形成装置６を稼働させるために画像形成装置６の各部に供給する電力を制御する電源回路を備える。電源部３３は、制御部１００からの指示に従って、画像形成装置６の各部に対して電力を供給又は供給停止する。電源部３３が、画像形成装置６の各部に対する電力供給を停止することで、画像形成装置６の電源オフの状態となる。
【００３６】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、指示受付部１０１と、異常高温検出部１０２と、を備えている。
【００３７】
制御ユニット１０は、図略のＨＤＤ（Hard Disk Drive）に記憶されている制御プログラムに従った上記プロセッサーによる動作により、制御部１００、指示受付部１０１、及び異常高温検出部１０２として機能する。但し、制御部１００等は、制御ユニット１０による制御プログラムに従った動作によらず、それぞれハードウェア回路により構成することも可能である。以下、特に触れない限り、各実施形態について同様である。
【００３８】
制御部１００は、画像形成装置６の全体的な動作制御を司る。制御部１００は、原稿給送部１６、原稿読取部１５、画像形成部１２、定着部１３、給紙部１４、機内温度センサー３１、機外温度センサー３２、操作部４７、ネットワークインターフェイス部９１、及び電源部３３と接続される。制御部１００は、これら各部の駆動制御等を行う。なお、制御部１００は、特許請求の範囲における第１制御部の一例である。
【００３９】
制御部１００は、画像形成装置６の状態を示す装置状態情報を、ネットワークインターフェイス部９１を介して、サーバー５へ送信する。なお、装置状態情報が示す装置状態は、プリンターやコピー、スキャン、ファクシミリ機能が利用されたこと、ＵＳＢメモリーを使用した作業が行われたこと、電源がオンされたこと、及び電源がオフされたことを示すそれぞれの情報である。
【００４０】
また、制御部１００は、サーバー５を介して管理装置２から送信されてくる指令通知を、ネットワークインターフェイス部９１が受信すると、受信した指令通知に従って、画像形成装置６の制御を行う。
【００４１】
指示受付部１０１は、操作部４７から出力されてくる指示を受け付ける。例えば、指示受付部１０１は、操作部４７が備えるハードキーに対するユーザー操作を受け付け、更には、表示部４７３に表示されている操作画面に対するユーザー操作を、表示部４７３が有するタッチパネル機能により受け付ける。制御部１００は、指示受付部１０１が受け付けたユーザー操作に応じて、画像形成装置６の動作を制御する。
【００４２】
異常高温検出部１０２は、定着温度センサー１３１、機内温度センサー３１、及び機外温度センサー３２により検出された温度が、予め定められた異常温度（通常の使用状態ではあり得ない高温を示す予め定められた温度）を示す閾値以上になったか否かを検出する。異常高温検出部１０２は、上記検出された温度が上記異常温度を示す閾値以上になった場合に、画像形成装置６に異常高温が発生しているものと判断して、当該画像形成装置６の異常高温を検出する。
【００４３】
定着温度センサー１３１が通常検出するのは、１００℃乃至２００℃程度であるので、定着温度センサー１３１により検出された温度が閾値（異常温度）Ｔ１（例えば、２５０℃）以上になった場合、異常高温検出部１０２は、異常高温が発生しているものと判断する。
【００４４】
機内温度センサー３１は、装置内の設置場所にも依るが、通常検出するのが、例えば８０℃以下であれば、機内温度センサー３１により検出された温度が閾値（異常温度）Ｔ２（例えば、１００℃）以上になった場合、異常高温検出部１０２は、異常高温が発生しているものと判断する。機外温度センサー３２は、装置の設置地域にもよるが、通常検出するのが、例えば４０℃以下であれば、機外温度センサー３２により検出された温度が閾値（異常温度）Ｔ３（例えば、５０℃）以上になった場合、異常高温検出部１０２は、異常高温が発生しているものと判断する。
【００４５】
制御部１００は、異常高温検出部１０２によって異常高温が検出された場合に、画像形成装置６に異常高温が発生していることを示す異常高温情報を、当該画像形成装置６固有の装置ＩＤを付して、ネットワークインターフェイス部９１からサーバー５を介して管理装置２へ送信すると共に、電源部３３を制御して、当該画像形成装置６の電源をオフさせる。
【００４６】
上記したように、異常高温が発生していることを示す異常高温情報が画像形成装置６から管理装置２へ送信されるので、異常高温の発生を建物１１の管理者（例えば、守衛等）がいち早く知ることが可能となり、異常事態に対する迅速な対応が可能となる。
【００４７】
制御部１００は、異常高温検出部１０２が、画像形成装置６の機外における異常高温を検出した場合には、異常高温情報と一緒に、機外に異常温度が発生していることを示す機外温異常情報を、ネットワークインターフェイス部９１からサーバー５を介して管理装置２へ送信する。これにより、機外温度が異常高温である場合に適した対応を取ることが可能となる。
【００４８】
図４は、制御システム１を構成する管理装置２の主要内部構成を概略的に示した機能ブロック図である。管理装置２は、操作部２１と、表示部２２と、記憶部２３と、通信部２４と、制御ユニット２５とを備えている。これらの各構成は、互いに通信パスによりデータ又は信号の送受信が可能とされている。
【００４９】
操作部２１は、キーボードやマウス等から構成され、ユーザーによる操作に応じて制御ユニット２５にコマンドや文字を入力し、表示部２２における画面上のポインターを操作する。表示部２２は、ＬＣＤ等を備え、制御ユニット２５からの応答やデータ結果を表示する。
【００５０】
記憶部２３は、ＨＤＤなどの記憶装置であり、管理装置２の動作に必要なプログラムやデータを記憶し、認証データ記憶部２３１と、滞在場所情報記憶部２３２と、設置エリア情報記憶部２３３と、報知機設置エリア情報記憶部２３４とを含む。
【００５１】
認証データ記憶部２３１は、建物１１への入館希望者が入館資格を有しているか否かの判定に使用するための認証データと、建物１１内の各エリアＥ１乃至Ｅ５への入室希望者が入室資格を有しているか否かの判定に使用するための認証データを記憶する。
【００５２】
図５は、認証データ記憶部２３１に記憶されるデータ構成の一例を示した図である。図５に示すように、認証データ記憶部２３１は、「建物への入館」の項目に対応付けて、建物１１への入館資格のあるユーザーに付与されているユーザーＩＤを記憶し、各エリアへの「入室」の項目に対応付けて、各エリアＥ１乃至Ｅ５への入室資格のあるユーザーに付与されているユーザーＩＤを記憶する。
【００５３】
滞在場所情報記憶部２３２は、ユーザーＩＤに対応付けて、当該ユーザーＩＤが与えられているユーザーの滞在場所を示す滞在場所情報を記憶する。
【００５４】
図６は、滞在場所情報記憶部２３２に記憶されるデータ構成の一例を示した図である。図６に示すように、滞在場所情報記憶部２３２は、ユーザーＩＤに対応付けて、入館有無データと在室エリアデータとを含む滞在場所情報を記憶する。ユーザーが建物１１へ入館している場合、入館有無データは「１」となり、ユーザーが建物１１へ入館していない場合、入管有無データは「０」となる。在室エリアデータには、ユーザーが在室しているエリア番号が記憶される。例えば、滞在場所情報記憶部２３２に記憶されている内容から、ユーザーＩＤ「Ａ００１」が与えられているユーザーは、エリアＥ１に在室していることが示される。
【００５５】
設置エリア情報記憶部２３３は、建物１１内の各エリアに設置された画像形成装置６Ａ乃至６Ｅが設置されている設置エリア情報を記憶する。
【００５６】
図７Ａは、設置エリア情報記憶部２３３に記憶されるデータ構成の一例を示した図である。図７Ａに示すように、設置エリア情報記憶部２３３は、画像形成装置６Ａ乃至６Ｅそれぞれ固有の予め定められた装置ＩＤ「Ｍ１２３４５６１」乃至「Ｍ１２３４５６５」に対応付けて、当該装置が設置されているエリア番号を記憶する。例えば、設置エリア情報記憶部２３３に記憶されている内容から、装置ＩＤ「Ｍ１２３４５６１」が割り当てられている画像形成装置６Ａは、エリアＥ１に設置されていることが分かる。
【００５７】
報知機設置エリア情報記憶部２３４は、建物内に設置されている各報知機の設置エリアを示す報知機設置エリア情報を記憶する。
【００５８】
図７Ｂは、報知機設置エリア情報記憶部２３４に記憶されるデータ構成の一例を示した図である。図７Ｂに示すように、報知機設置エリア情報記憶部２３４は、報知機Ａ１〜Ａ５それぞれ固有の予め定められた報知機ＩＤ「Ａ０００１」乃至「Ａ０００５」に対応付けて、当該装置が設置されているエリア番号を記憶する。例えば、報知機設置エリア情報記憶部２３４に記憶されている内容から、報知機ＩＤ「Ａ０００３」が割り当てられている報知機Ａ３は、エリアＥ３に設置されていることが分かる。
【００５９】
通信部２４は、不図示のＬＡＮチップなどの通信モジュールを備える通信インターフェイスであり、外部機器との間で通信を行う。管理装置２は、通信部２４を介してサーバー５と接続されており、サーバー５との間でデータの送受信を行うと共に、サーバー５を介して画像形成装置６との間でデータの送受信を行う。なお、通信部２４は、請求項１に記載の第２通信部及び請求項４に記載の通信部の一例である。
【００６０】
制御ユニット２５は、プロセッサー、ＲＡＭ、ＲＯＭ、及び専用のハードウェア回路を含んで構成される。プロセッサーは、例えばＣＰＵ、ＡＳＩＣ、又はＭＰＵ等である。制御ユニット２５は、制御部２５１と、指示受付部２５２と、個人認証部２５３と、エリア検出部２５４と、を備えている。
【００６１】
制御ユニット２５は、記憶部２３に記憶されている制御プログラムに従った上記プロセッサーによる動作により、制御部２５１、指示受付部２５２、個人認証部２５３、及びエリア検出部２５４として機能する。但し、制御ユニット２５の上記の各構成は、制御ユニット２５による制御プログラムに基づく動作によらず、それぞれハードウェア回路により構成することも可能である。以下、特に触れない限り、各実施形態について同様である。
【００６２】
制御部２５１は、管理装置２の全体的な動作制御を司る。制御部２５１は、操作部２１、表示部２２、記憶部２３、及び通信部２４と接続されており、接続されている上記各構成の動作制御や、各構成との間での信号またはデータの送受信を行う。
【００６３】
指示受付部２５２は、操作部２１を介したユーザーからの操作入力を受け付ける。
【００６４】
個人認証部２５３は、カードリーダー３から送信されてくるユーザーＩＤを受信すると、認証データ記憶部２３１に記憶されているユーザーＩＤを検索して、建物１１への入館や各エリアＥ１乃至Ｅ５への入室が許可されているか否かを判定する。
【００６５】
個人認証部２５３が、入館や入室が許可されていると判定すると、制御部２５１は、通信部２４を介して、個人認証部２５３による判定結果を受けて、対応する電気錠４へ解錠通知を送信する。電気錠４は、管理装置２からの解錠通知を受信すると、当該電子錠４を解錠する。その後、制御部２５１は、滞在場所情報記憶部２３２に記憶される、当該ユーザーＩＤに関連する滞在場所情報を更新する。
【００６６】
エリア検出部２５４は、通信部２４が画像形成装置６から送信されてくる異常高温情報を受信すると、設置エリア情報記憶部２３３に記憶されている設置エリア情報と、上記異常高温情報に付された装置ＩＤとに基づいて、異常高温を検出した画像形成装置６が設置されているエリアを特定することによって異常高温の発生エリアを検出する。
【００６７】
また、制御部２５１は、異常高温の発生情報（例えば、画像形成装置６に異常高温が発生していることや、異常高温が発生しているエリア）を表示部２２に表示させると共に、エリア検出部２５４が検出した異常高温の発生エリアに設けられた報知機Ａへ、当該報知機Ａが設けられているエリアに異常高温が発生していることを報知させる第１報知指令通知を通信部２４から送信する。報知機Ａは、上記第１報知指令通知を受信すると、例えば「このエリアに設置されているコピー機が高温状態です」といったメッセージを報知する。
【００６８】
例えば、装置ＩＤ「Ｍ１２３４５６４」が割り当てられている画像形成装置６Ｄから送信されてくる異常高温情報を、通信部２４が受信した場合、エリア検出部２５４は、画像形成装置６Ｄが設置されているエリアをエリアＥ３と特定することによって、当該エリアＥ３を異常高温の発生エリアとして検出する。
【００６９】
制御部２５１は、異常高温の発生エリアであるエリアＥ３に設けられた報知機Ａ３へ、上記第１報知指令通知を送信する。制御部２５１は、異常高温の発生エリアに設けられた報知機を報知機設置エリア情報記憶部２３４に記憶されるデータに基づいて判別する。報知機Ａ３は、上記第１報知指令通知を受信すると、上記したようなメッセージを報知する。これにより、異常高温の発生エリアであるエリアＥ３の在室者に画像形成装置６の異常高温を伝えることができる。
【００７０】
しかしながら、異常高温の発生エリアに在室者が存在するとは限らない。例えば、夜間であれば、在室者が存在する可能性は低い。そのような場合、初期対応が遅れてしまうおそれがある。
【００７１】
そこで、制御部２５１は、滞在場所情報記憶部２３２（図６）に記憶されている滞在場所情報（すなわち、カードリーダー３による検出情報）に基づいて、エリア検出部２５４が検出した異常高温の発生エリアの在室人数を算出して、異常高温の発生エリアに在室者が存在するか否かを判断し、異常高温の発生エリアに在室者が存在しないと判断した場合に、当該異常高温の発生エリアの最寄りのエリアに設けられた報知機Ａへ、当該報知機Ａが設けられているエリアの最寄りのエリアに異常高温が発生していることを報知させる第２報知指令通知を通信部２４から送信する。
【００７２】
例えば、異常高温の発生エリアであるエリアＥ３に在室者が存在しない場合、エリアＥ３の最寄りのエリアＥ２，Ｅ４に設けられた報知機Ａ２，Ａ４へ、上記第２報知指令通知が送信される。なお、最寄りのエリアを決定するには、例えば、図８に示すような、エリア関係性情報を事前に記憶部２３に記憶させておき、それを利用すればよい。
【００７３】
また、制御部２５１は、通信部２４が異常高温情報と一緒に機外温異常情報を受信すると、エリア検出部２５４が検出した異常高温の発生エリアに設置されている画像形成装置６へ、当該画像形成装置６の電源をオフさせる電源オフ指令通知を通信部２４から送信する。すなわち、機外温異常情報を受信した場合、異常高温の発生エリアに設置されている画像形成装置６の電源がオフされる。これにより、新たな二次的な弊害が生じる可能性を下げることができる。
【００７４】
なお、異常高温を検出した画像形成装置６は異常高温情報を管理装置２へ送信した後に、電源をオフしているので、制御部２５１は、当該画像形成装置６に電源オフ指令通知を送信しなくてもよい。
【００７５】
次に、画像形成装置６の制御ユニット１０で行われる処理の一例について、図９に示したフローチャートに基づいて説明する。まず、異常高温検出部１０２は、機外温度センサー３２により検出された温度が閾値Ｔ３以上であるか否かを判断する（Ｓ１）。
【００７６】
異常高温検出部１０２は、機外温度センサー３２により検出された温度が閾値Ｔ３以上でないと判断した場合（Ｓ１でＮＯ）、機内温度センサー３１により検出された温度が閾値Ｔ２以上であるか否かを判断する（Ｓ２）。
【００７７】
異常高温検出部１０２は、機内温度センサー３１により検出された温度が閾値Ｔ２以上でないと判断した場合（Ｓ２でＮＯ）、定着温度センサー１３１により検出された温度が閾値Ｔ１以上であるか否かを判断する（Ｓ３）。
【００７８】
異常高温検出部１０２が、定着温度センサー１３１により検出された温度が閾値Ｔ１以上でないと判断した場合（Ｓ３でＮＯ）、画像形成装置６に異常高温は発生していないことになるので、この処理を終了する。
【００７９】
異常高温検出部１０２が、機内温度センサー３１により検出された温度が閾値Ｔ２以上であると判断した場合（Ｓ２でＹＥＳ）、又は異常高温検出部１０２が、定着温度センサー１３１により検出された温度が閾値Ｔ１以上であると判断した場合（Ｓ３でＹＥＳ）、画像形成装置６に異常高温が発生していることになるので、制御部１００は、画像形成装置６に異常高温が発生していることを示す異常高温情報を、当該画像形成装置６固有の装置ＩＤを付して、ネットワークインターフェイス部９１から管理装置２へ送信し（Ｓ４）、その後、電源部３３を制御し、画像形成装置６の電源をオフさせ（Ｓ５）、この処理を終了する。
【００８０】
Ｓ１において、異常高温検出部１０２が、機外温度センサー３２により検出された温度が閾値Ｔ３以上であると判断した場合（Ｓ１でＹＥＳ）、制御部１００は、画像形成装置６に異常高温が発生していることを示す異常高温情報と一緒に、機外温異常情報を、当該画像形成装置６固有の装置ＩＤを付して、ネットワークインターフェイス部９１から管理装置２へ送信し（Ｓ６）、その後、電源部３３を制御し、画像形成装置６の電源をオフさせる制御を行う（Ｓ７）。この後、処理は終了する。
【００８１】
次に、管理装置２の制御ユニット２５で行われる処理の一例について、図１０に示したフローチャートに基づいて説明する。なお、この処理は、通信部２４が、画像形成装置６から送信されてくる異常高温情報を受信したときに行われる処理である。
【００８２】
通信部２４が、画像形成装置６から送信されてくる異常高温情報を受信すると、エリア検出部２５４が、異常高温情報と一緒に送信されてきた画像形成装置６固有の装置ＩＤと、設置エリア情報記憶部２３３（図７Ａ）に記憶されている設置エリア情報とに基づいて、異常高温を検出した画像形成装置６が設置されているエリアを特定することによって異常高温の発生エリアを検出する（Ｓ１１）。続いて、制御部２５１が、異常高温の発生情報（例えば、画像形成装置６に異常高温が発生していることや、異常高温が発生しているエリア）を表示部２２に表示させる（Ｓ１２）。なお、Ｓ１２においては、制御部２５１は、更に、当該管理装置２が設けられているエリアＥ５に設けられた報知機Ａ５に向けて、上記異常高温の発生情報を、通信部２４から送信させるようにしてもよい。
【００８３】
続いて、制御部２５１は、異常高温情報と一緒に、通信部２４が機外温異常情報を受信したか否かを判断する（Ｓ１３）。
【００８４】
制御部２５１は、通信部２４が機外温異常情報を受信してないと判断した場合（Ｓ１３でＮＯ）、滞在場所情報記憶部２３２に記憶されている上記滞在場所情報に基づいて、異常高温の発生エリアに在室者が存在するか否かを判断する（Ｓ１４）。
【００８５】
制御部２５１は、異常高温の発生エリアに在室者が存在すると判断した場合（Ｓ１４でＹＥＳ）、異常高温の発生エリアに設けられた報知機Ａへ、当該報知機Ａが設けられているエリアに異常高温が発生していることを報知させる第１報知指令通知を通信部２４から送信する（Ｓ１５）。この後、処理は終了する。
【００８６】
一方、制御部２５１は、異常高温の発生エリアに在室者が存在しないと判断した場合（Ｓ１４でＮＯ）、異常高温の発生エリアの最寄りのエリアに設けられた報知機Ａへ、当該報知機Ａが設けられているエリアの最寄りのエリアに異常高温が発生していることを報知させる第２報知指令通知を通信部２４から送信し（Ｓ１６）、この処理を終了する。なお、制御部２５１は、このように異常高温の発生エリアに在室者が存在しないと判断した場合（Ｓ１４でＮＯ）、滞在場所情報記憶部２３２に記憶されている滞在場所情報に基づいて、当該異常高温の発生エリアの最寄りのエリアに在室者が存在するか否かを更に判断し、在室者が存在すると判断できたことを条件として、当該在室者が存在すると判断した最寄りのエリアに設けられた報知機Ａに対してのみ上記第２報知指令通知を通信部２４から送信させるようにしてもよい。
【００８７】
また、Ｓ１３において、制御部２５１は、通信部２４が機外温異常情報を受信したと判断した場合（Ｓ１３でＹＥＳ）、機外温度が異常高温であるので、制御部２５１は、異常高温の発生エリアに設置されている画像形成装置６へ、当該画像形成装置６の電源をオフさせる電源オフ指令通知を通信部２４を介して送信する（Ｓ１７）。この後、処理はＳ１４に移る。
【００８８】
上記実施形態によれば、画像形成装置６の異常高温が検出されると、異常高温情報が管理装置２へ送信されるので、異常高温の発生を建物の管理者（例えば、守衛等）がいち早く知ることが可能となる。
【００８９】
また、異常高温を検出した画像形成装置６が設置されているエリア（すなわち、異常高温の発生エリア）の在室者に異常高温の発生を報知機Ａから伝えるので、異常状態の迅速な確認作業が可能となる。
【００９０】
異常高温の発生エリアに在室者が存在しない場合には、最寄りのエリアの在室者に異常高温の発生が伝えられる。また、建物１１の管理者にも異常高温の発生が伝えられるので、異常状態に対する迅速な対応が可能となる。
【００９１】
また、異常高温の検出に、異常高温の検出とは異なる目的のために設置されている温度センサー（例えば、定着温度センサー１３１や機外温度センサー３１、機内温度センサー３２）を利用するので、複雑な機構を新たに採用する必要がない。従って、画像形成装置６に異常高温が発生した場合の二次災害を、比較的簡易な構成で、適切に防止することが可能となる。
【００９２】
本発明は上記実施の形態の構成に限られず種々の変形が可能である。また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００９３】
１        制御システム
２        管理装置
５        サーバー
６        画像形成装置
２４      通信部
３１      機内温度センサー
３２      機外温度センサー
３３      電源部
９１      ネットワークインターフェイス部
１００、２５１    制御部
１０２    異常高温検出部
１３１    定着温度センサー
２３３    設置エリア情報記憶部
２５４    エリア検出部
４７３    表示部
Ａ        報知機
【図１】
2020119256.tif 000003
【図２】
2020119256.tif 000004
【図３】
2020119256.tif 000005
【図４】
2020119256.tif 000006
【図５】
2020119256.tif 000007
【図６】
2020119256.tif 000008
【図７Ａ】
2020119256.tif 000009
【図７Ｂ】
2020119256.tif 000010
【図８】
2020119256.tif 000011
【図９】
2020119256.tif 000012
【図１０】
2020119256.tif 000013